(57)【要約】【課題】  遊技機の内部において生じた静電気を確実かつ効率的に機外に除去することを目的とする。【解決手段】  ガラス枠２２の裏面には、第１ガラス３８や第２ガラス３９を保持する部材として、金属製の包囲プレート１５３の折曲部１５３ａ，１５３ｂ，１５３ｃと折曲部１５３ａと折曲部１５３ｃとの間に載架された連結部材１５４とを備える。連結部材１５４は、金属製の第一連結部材１５７と金属製の第二連結部材１５８との間に樹脂製の絶縁部材１５９を架設することにより形成されている。【選択図】        図２
2004351220.tif 000002
【特許請求の範囲】
【請求項１】
発射された遊技球を遊技領域に誘導して所定の遊技を実行する遊技機であって、
前記遊技領域を外部と区画する透光性部材と、
前記遊技領域を取り囲む位置に配置され、前記透光性部材を保持する導電性の保持部材とを有し、
前記保持部材は、該保持部材における電流ループを遮断する遮断部を備えた
遊技機。
【請求項２】
前記遮断部は、金属製の前記保持部材の一部を切り欠いた切欠部とされている請求項１に記載の遊技機。
【請求項３】
前記切欠部の両端に位置する前記保持部材に絶縁部材を架設した請求項２に記載の遊技機。
【請求項４】
請求項３に記載の遊技機であって、
前記保持部材は、前記透光性部材の挿入を案内するガイド部材を備え、
前記切欠部が前記ガイド部材に設けられた
遊技機。
【請求項５】
前記保持部材と前記遊技機の外部との導通を確保する導通部を備えた請求項１ないし４のいずれかに記載の遊技機。
【発明の詳細な説明】
【技術分野】
【０００１】
本発明は、遊技機に関し、詳しくは、発射された遊技球を遊技領域に誘導して所定の遊技を実行する遊技機に関する。
【背景技術】
【０００２】
一般に、遊技機の内部では、遊技領域における打球と誘導レールとの摩擦や打球と釘との衝突等によって静電気が発生する場合がある。このような静電気を放置しておくと、静電気の電荷が遊技機の動作を制御する制御機構に作用し、遊技機の誤動作を招くおそれがある。そこで、従来、外レールや内レールに帯電した静電気を、ガラス等の透光性部材を保持する金属製の保持部材（例えば、金属製のガラス枠），該保持部材と接続されたリード線を通じてアース処理部に導き、レール上の静電気を機外に除去する手法が提案されている（例えば、特許文献１を参照）。
【０００３】
【特許文献１】特開平５−２２８２５７号公報
【発明の開示】
【発明が解決しようとする課題】
【０００４】
しかしながら、上記従来の手法では、金属製の保持部材は透光性部材の外周縁を連続的に取り囲むように設けられているため、外レールや内レールからの静電気が保持部材においてループしてしまい、静電気が機外に十分に除去されないおそれがあった。一方、このような保持部材におけるループを避けて静電気を機外に除去する手法は、従来において何ら提案されていなかった。
【０００５】
そこで、本発明は、上記の課題を解決し、遊技機の内部において生じた静電気を確実かつ効率的に機外に除去することを目的として、以下の構成を採った。
【課題を解決するための手段】
【０００６】
本発明の遊技機は、
発射された遊技球を遊技領域に誘導して所定の遊技を実行する遊技機であって、
前記遊技領域を外部と区画する透光性部材と、
前記遊技領域を取り囲む位置に配置され、前記透光性部材を保持する導電性の保持部材とを有し、
前記保持部材は、該保持部材における電流ループを遮断する遮断部を備えたことを要旨とする。
【０００７】
透光性部材とは、該部材によって間が隔てられても向こう側が見通せる部材をいう。透光性部材には、透明の部材のみならず半透明の部材が含まれる。透光性部材の一例として、ガラスやアクリル板等を考えることができる。
【０００８】
上記発明の遊技機では、前記遊技領域を外部と区画する透光性部材を保持する導電性の保持部材が、該保持部材における電流ループを遮断する遮断部を備える。このため、保持部材に帯電した静電気は、保持部材内でループすることなく導通部に導かれる。従って、遊技機内部で生じた静電気を保持部材を通じて確実かつ効率的に遊技機の外部に除去することができる。
【０００９】
遮断部を、金属製の保持部材の一部を切り欠いた切欠部としてもよい。こうすれば、保持部材における電流ループを簡単な構造で遮断することができる。
【００１０】
また、切欠部の両端に位置する保持部材に絶縁部材を架設する構成としても差し支えない。こうすれば、保持部材に切欠部を設けた場合に、保持部材の強度を高めることができる。
【００１１】
保持部材が、該保持部材への透光性部材の挿入を案内するガイド部材を備える場合には、このガイド部材に切欠部を設けることも好適である。こうすれば、透光性部材の荷重が切欠部にかかりにくくなり、保持部材による透光性部材の保持性能を十分に確保することができる。例えば、重量が大きめの透光性部材を採用した場合であっても、透光性部材を確実に保持することができる。
【００１２】
保持部材と遊技機の外部との導通を確保する導通部を備えた構成とすることも、静電気の機外への除去効率をより一層高めることができる点で好ましい。
【発明を実施するための最良の形態】
【００１３】
以上説明した本発明の構成および作用を一層明らかにするために、以下本発明の実施の形態を実施例に基づき説明する。図１はパチンコ遊技機１０の前面を示す説明図である。なお、以下の説明においては、パチンコ遊技機１０の前面方向から見たときの面を「表面」といい、パチンコ遊技機１０の後面方向から見たときの面を「裏面」という。
【００１４】
図１に示すように、パチンコ遊技機１０は、木製の外枠１２に開閉ないし係脱可能に軸着される樹脂製の内枠２０を備える。内枠２０は金属製の内枠用ヒンジ１７０，１７５を介して軸着されており、内枠用ヒンジ１７０，１７５はパチンコ遊技機１０の外部に露出した状態とされている。
【００１５】
内枠２０の枠内には、遊技領域が形成された遊技盤４０が嵌め込まれている。図示しない遊技盤４０の裏面には、賞球払出し機構や制御基板等の各種機構が装着される機構板が重合されている。機構板は金属製の機構板用ヒンジを介して内枠２０に開閉ないし係脱可能に軸着されており、機構板用ヒンジはパチンコ遊技機１０の外部に露出した状態とされている。
【００１６】
遊技盤４０の表面には、発射された遊技球Ｂを遊技領域まで誘導する金属製の外レール５１および内レール４９、遊技領域において打球が流下する方向を変化させる多数の障害釘、遊技領域において打球が流下する速度や方向を変化させる風車４７およびランプ風車４８、遊技領域を流下する遊技球が進入可能な各種入賞口、図柄表示装置等の各種部品が装着されている。
【００１７】
内枠２０の正面に向かって左側（図１では向かって左側）の内側側面には、樹脂製のガラス枠２２が金属製のガラス枠用ヒンジ１８０，ガラス枠・上皿用ヒンジ１８５を介して開閉ないし係脱可能に軸着されている。ガラス枠２２は、ガラス枠２２の中央付近に形成された開口部２２ａと、この開口部２２ａ周囲の枠部２２ｂとを有し、開口部２２ａには、後述する２枚のガラスが透光性部材として装着されている。ガラス枠２２を閉じた状態において遊技盤４０の遊技領域は上記ガラスで二重に覆われ、この二重ガラスにより遊技領域がパチンコ遊技機１０の外部と区画される。これにより、パチンコ遊技機１０の前面からガラス越しに遊技領域を視認することができる。
【００１８】
また、ガラス枠２２よりも下方の領域には、貸球や賞球としての遊技球Ｂを貯留する上皿２４が設けられている。この上皿２４は、内枠２０の一片側（図１では向かって左側）の内側面に金属製のガラス枠・上皿用ヒンジ１８５を介して開閉可能に軸着されている。
【００１９】
なお、図１においては詳細に図示しないが、上記したガラス枠用ヒンジ１８０は、内枠２０の裏面において内枠用ヒンジ１７０に接触しており、ガラス枠・上皿用ヒンジ１８５は内枠２０の裏面において機構板用ヒンジに接触している。
【００２０】
ガラス枠用ヒンジ１８０，ガラス枠・上皿用ヒンジ１８５とは反対側（図１では向かって右側）の内枠２０の端部には、図１に点線で示すように、ガラス枠２２および上皿２４の開閉状態を切り換える金属製のキーユニット２９が装着されている。
【００２１】
図１に示すように、上皿２４よりも下方の内枠２０表面には、上皿２４の容量を越えて払い出された遊技球Ｂを貯留する下皿２５、発射ハンドル２６ａの回転操作によって上皿２４から供給された遊技球Ｂを遊技領域に向けて発射する発射操作ユニット２６等が取り付けられている。また、上皿２４を開けたときに露出する内枠２０表面には、図１に点線で示すように、発射ハンドル２６ａの回転操作により発射された遊技球Ｂを外レール５１に案内する金属製の発射レール３０が装着されている。
【００２２】
ガラス枠２２の裏面の構造を図２に示す。このガラス枠２２の裏面は、ガラス枠２２をガラス枠用ヒンジ１８０，ガラス枠・上皿用ヒンジ１８５を介して内枠２０に軸着してガラス枠２２を閉止した状態において、遊技盤４０の表面と対向する面である。図２に示すように、ガラス枠２２裏面の枠部２２ｂには、薄い金属製のプレートである包囲プレート１５３が装着されている。包囲プレート１５３は、開口部２２ａの右側から下側，左側にかけての範囲に装着された略コの字型のプレートである。この包囲プレート１５３の装着により、ガラス枠２２の裏面に約５６０平方センチメートルの面積を有する金属製のプレート領域が確保される。
【００２３】
図２に示すように、包囲プレート１５３のガラス枠２２外側方向の側端部（図２における向かって右側の端部）にはロール部１５３ｋが形成されている。ロール部１５３ｋ内には、ばね係止された金属製の摺動軸１８１がロール部１５３ｋ内に接触する状態で挿入されている。また、ロール部１５３ｋの略鉛直下方の包囲プレート１５３上には、金属製の軸受けプレート１８８が、包囲プレート１５３上面に接触した状態で螺着されている。軸受けプレート１８８は、枠部２２ｂの外側でプレート面に対して直角方向に折り曲げられた折曲部１８８ａを有する。この折曲部１８８ａには図示しない軸孔が形成されている。
【００２４】
ガラス枠２２を内枠２０に装着する際には、軸受けプレート１８８の折曲部１８８ａをガラス枠・上皿用ヒンジ１８５に嵌め込み、ロール部１５３ｋ内の摺動軸１８１をガラス枠用ヒンジ１８０に嵌め込む。これにより、軸受けプレート１８８の折曲部１８８ａとガラス枠・上皿用ヒンジ１８５とが電気的に導通され、ロール部１５３ｋおよび摺動軸１８１とガラス枠用ヒンジ１８０とが電気的に導通される。
【００２５】
図２に示すように、包囲プレート１５３は、開口部２２ａをとり囲む範囲に、包囲プレート１５３を折り曲げることによってプレート面から所定の高さに立設された折曲部１５３ａ，１５３ｂ，１５３ｃを備える。このうち、折曲部１５３ａの上方（図２における上方向）の端部と折曲部１５３ｃの上方（図２における上方向）の端部との間には、図２に示すように、連結部材１５４が載架されている。この連結部材１５４は、折曲部１５３ｃの上方の端部に接続される金属製の第一連結部材１５７と、折曲部１５３ａの上方の端部に接続される金属製の第二連結部材１５８と、第一連結部材１５７と第二連結部材１５８とを接合する樹脂（ポリカーボネート）製の絶縁部材１５９とから構成されている。
【００２６】
折曲部１５３ａ，１５３ｂ，１５３ｃおよび連結部材１５４は、遊技盤４０の表面寄り（図２に示す手前側）に位置する第１ガラス３８やガラス枠２２の裏面寄り（図２に示す奥側）に位置する第２ガラス３９の外周縁に沿って、遊技領域を取り囲む位置に配置されている。図２に二点鎖線で示すように、第１ガラス３８および第２ガラス３９は、連結部材１５４の上方から折曲部１５３ａ，１５３ｂ，１５３ｃで囲まれた領域内に挿入される。
【００２７】
本実施例では、折曲部１５３ａ，１５３ｂ，１５３ｃおよび連結部材１５４が特許請求の範囲にいう「保持部材」に相当し、このうちの連結部材１５４が特許請求の範囲にいう「ガイド部材」に相当する。勿論、「保持部材」や「ガイド部材」を、上記の折曲部１５３ａ，１５３ｂ，１５３ｃや連結部材１５４以外の他の形態とすることも可能である。
【００２８】
折曲部１５３ａ，１５３ｂ，１５３ｃの断面形状を図３に示す。図３（Ａ），（Ｂ），（Ｃ）は、包囲プレート１５３を、それぞれ図２の３Ａ−３Ａ線，３Ｂ−３Ｂ線，３Ｃ−３Ｃ線に沿って切断したときの断面形状を示している。この各図では、ガラス枠２２裏面の枠部２２ｂ，第１ガラス３８，第２ガラス３９を二点鎖線を用いて表わしている。
【００２９】
図３（Ａ）および（Ｃ）に示すように、包囲プレート１５３の折曲部１５３ａ，１５３ｃには、連結部材１５４が装着される差込溝１５３ｓａ，１５３ｓｃが形成されている。
【００３０】
図３（Ａ）ないし（Ｃ）に示すように、包囲プレート１５３の折曲部１５３ａ，１５３ｂ，１５３ｃには、第１ガラス３８の三方（左方，右方，下方）の外周縁が嵌め込まれる嵌込溝１５３ｇａ，１５３ｇｂ，１５３ｇｃが形成されている。この嵌込溝１５３ｇａ，１５３ｇｂ，１５３ｇｃに第１ガラス３８を嵌め込むことにより第１ガラス３８が保持される。また、折曲部１５３ａ，１５３ｂ，１５３ｃには、第２ガラス３８の三方（左方，右方，下方）の外周縁が．挿入される挿入部１５３ｈａ，１５３ｈｂ，１５３ｈｃが形成されている。この挿入部１５３ｈａ，１５３ｈｂ，１５３ｈｃとガラス枠２２裏面との間に第２ガラス３９を嵌め込むことにより第２ガラス３９が保持される。
【００３１】
図３（Ｂ）に示すように、折曲部１５３ｂには、嵌込溝１５３ｇｂ形成部分から水平方向（内枠２０に装着された遊技盤４０の表面方向）に突出された形状の突出部１５３ｂｔが形成されている。この突出部１５３ｂｔは、内枠２０の外レール５１に対向する範囲を除く、折曲部１５３ｂのほぼ全範囲に形成されている。
【００３２】
また、図３（Ｃ）に示すように、嵌込溝１５３ｇｃとは反対側の折曲部１５３ｃには、金属製の係止片１５５が、折曲部１５３ｃから水平方向（ガラス枠２２の外側方向）に延出された状態で装着されている。なお、折曲部１５３ｃには、係止片１５５よりも下方の位置に、係止片１５５と同じ形状の係止片１５６が装着されている（図２を参照）。これらの係止片１５５，１５６は、内枠２０側のキーユニット２９に対応する位置に装着されている。
【００３３】
連結部材１５４の形状を図４ないし図５に示す。図４（Ａ）は、連結部材１５４のうちの第一連結部材１５７を、図２の４Ａ−４Ａ線に沿って切断したときの断面形状を示しており、図４（Ｂ），図４（Ｃ）は、それぞれ、絶縁部材１５９付近における連結部材１５４の側面，上面を示す。図５は連結部材１５４が組み立てられる様子を示す説明図である。なお、図４（Ａ）ないし図４（Ｃ）では、ガラス枠２２裏面の枠部２２ｂ，第１ガラス３８，第２ガラス３９を二点鎖線を用いて表わしている。
【００３４】
図４（Ａ）に示すように、横長の外形を有する金属製の第一連結部材１５７は、略コの字型の縦断面形状を有し、略水平方向に延びた上面１５７ｃと、上面１５７ｃにおける長手方向側の二つの端面を略鉛直下方に折り曲げることにより形成された折曲部１５７ａ，１５７ｂを備える。こうした略コの字型の縦断面形状とすることで、第一連結部材１５７の強度を確保している。なお、図示しない金属製の第二連結部材１５８も、第一連結部材１５７とほぼ同様の形状を有しており、上面１５８ｃと折曲部１５８ａ，１５８ｂを備える（図５を参照）。
【００３５】
図４（Ｂ）および図４（Ｃ）に示すように、第一連結部材１５７の折曲部１５３ｃに載架されない側の端部１５７ｙと第二連結部材１５８の折曲部１５３ｃに載架されない側の端部１５８ｙとの間には、絶縁部材１５９が架設されている。
【００３６】
第一連結部材１５７と第二連結部材１５８との間に絶縁部材１５９を架設する手順について図４ないし図５を参照しつつ説明する。まず、端部１５７ｙ，端部１５８ｙ近傍の第一連結部材１５７，第二連結部材１５８内に絶縁部材１５９を挿入し、絶縁部材１５９の上面から上方に突出された凸部１５９ｅ，凸部１５９ｆを、それぞれ、上面１５７ｃに形成された嵌合孔，上面１５８ｃに形成された嵌合孔に嵌め込む。次に、絶縁部材１５９の第一連結部材１５７ないし第二連結部材１５８に対する固定強度を高めるために、上面１５７ｃ，上面１５８ｃおよび絶縁部材１５９をねじ１６０，１６１で貫通して、第一連結部材１５７ないし第二連結部材１５８と絶縁部材１５９とを螺着する。これにより、第一連結部材１５７と第二連結部材１５８との間に絶縁部材１５９が架設され、こうした架設により連結部材１５４は１本の棒状体とされる。
【００３７】
このような連結部材１５４が折曲部１５３ａの上方の端部と折曲部１５３ｃの上方の端部との間に載架された後、連結部材１５４の上方から第１ガラス３８および第２ガラス３９が挿入される。第１ガラス３８および第２ガラス３９が挿入されるときの第一連結部材１５７付近における様子を図４（Ａ）に示した。即ち、連結部材１５４の上方から下方向に挿入された第１ガラス３８の下端部は、連結部材１５４の長手方向側の一の側面（第一連結部材１５７の折曲部１５７ａ，絶縁部材１５９の側面１５９ａおよび第二連結部材１５８の折曲部１５８ａによって構成される面）に案内されて、嵌込溝１５３ｇａ，１５３ｇｂ，１５３ｇｃ内に挿入される。また、第２ガラス３９の下端部は、連結部材１５４の上方から連結部材１５４と枠部２２ｂとの間の空隙に下方向に挿入された後、連結部材１５４の長手方向側の他の側面（第一連結部材１５７の折曲部１５７ｂ，絶縁部材１５９の側面１５９ｂおよび第二連結部材１５８の折曲部１５８ｂによって構成される面）に案内されて、挿入部１５３ｈａ，１５３ｈｂ，１５３ｈｃとガラス枠２２裏面との間の空隙に挿入される（以上、図３ないし図４の各図を参照）。
【００３８】
連結部材１５４は、端部１５７ｙと端部１５８ｙとの間に絶縁部材１５９分の間隔ｄ１が設けられて、第一連結部材１５７と第二連結部材１５８とが互いに接触しない状態とされている（図４（Ｃ）および図５を参照）。こうした連結部材１５４が包囲プレート１５３の折曲部１５３ａ，１５３ｃに装着されると、図２に示すように、第１ガラス３８や第２ガラス３９を保持する金属製の部材（具体的には、折曲部１５３ａ，１５３ｂ，１５３ｃと折曲部１５３ｃ，折曲部１５３ａに接続される第一連結部材１５７，第二連結部材１５８）の一部に切欠部（金属製の部材でない部分）が設けられ、この切欠部の両端に位置する部材（具体的に第一連結部材１５７と第二連結部材１５８）に絶縁部材１５９が架設されている状態となる。この絶縁部材１５９が特許請求の範囲における「遮断部」として機能する。
【００３９】
なお、本実施例のパチンコ遊技機１０では、金属製のキーユニット２９，発射レール３０，内レール４９，外レール５１は、上記したガラス枠２２裏面の包囲プレート１５３を介して内枠用ヒンジ１７０，機構板用ヒンジ１９０，１９５に導通されている。こうした導通構造につき図６を参照しつつ説明する。図６はガラス枠２２ないし上皿２４を取り外した状態におけるパチンコ遊技機１０の前面を示す説明図である。
【００４０】
まず、ガラス枠２２を内枠２０に装着すると、ガラス枠２２裏面のロール部１５３ｋ内の摺動軸１８１，軸受けプレート１８８の折曲部１８８ａが、それぞれガラス枠用ヒンジ１８０，ガラス枠・上皿用ヒンジ１８５に接触した状態となる（図６を参照）。既述したように、ガラス枠用ヒンジ１８０，ガラス枠・上皿用ヒンジ１８５は、内枠２０の裏面において、それぞれ内枠用ヒンジ１７０，機構板用ヒンジに接触している。これにより、ガラス枠２２裏面の折曲部１５３ａ，１５３ｂ，１５３ｃおよび連結部材１５４は、包囲プレート１５３の上方において、包囲プレート１５３，ロール部１５３ｋ，摺動軸１８１，ガラス枠用ヒンジ１８０を介して内枠用ヒンジ１７０に導通されると共に、包囲プレート１５３の下方において、包囲プレート１５３，軸受けプレート１８８，折曲部１８８ａ，ガラス枠・上皿用ヒンジ１８５を介して機構板用ヒンジに導通される。即ち、折曲部１５３ａ，１５３ｂ，１５３ｃおよび連結部材１５４は、上記した各部材１５３，１５３ｋ，１８１，１８０，１８８，１８８ａ，１８５によって、パチンコ遊技機１０の外部に露出する内枠用ヒンジ１７０や機構板用ヒンジに電気的に連絡される。
【００４１】
こうして内枠２０に軸着されたガラス枠２２を閉じると、ガラス枠２２裏面の折曲部１５３ａ，１５３ｂ，１５３ｃや連結部材１５４は、内枠２０内の遊技盤４０の表面に向かって進入し、図６に二点鎖線で示す範囲に納まる。
【００４２】
図６に示すように、発射レール３０は、共に金属製の部材である台座１３２および連絡部材１３４を介してキーユニット２９に接続されている。ガラス枠２２の閉止状態とすると、図６に示す領域Ｐないし領域Ｑにおいて、折曲部１５３ｃの係止片１５５ないし係止片１５６がキーユニット２９に接触した状態となる。これにより、発射レール３０は、キーユニット２９，台座１３２，連絡部材１３４，係止片１５５，１５６，折曲部１５３ｃを介して包囲プレート１５３に導通される。
【００４３】
図６に示すように、ガラス枠２２の閉止状態においては、領域Ｒにおいて、内レール４９に外接された板金１１０と包囲プレート１５３の折曲部１５３ｂの突出部１５３ｂｔとが接触した状態となる。このため、内レール４９は、板金１１０，包囲プレート１５３の折曲部１５３ｂを介して、包囲プレート１５３に導通される。
【００４４】
図６に示すように、ガラス枠２２の閉止状態においては、領域Ｓにおいて、外レール５１に外接された板金１１５と包囲プレート１５３の折曲部１５３ａとが接触した状態となる。このため、外レール５１は、板金１１５，包囲プレート１５３の折曲部１５３ａを介して、包囲プレート１５３に導通される。
【００４５】
このようにキーユニット２９や発射レール３０，内レール４９，外レール５１は、ガラス枠２２の閉止に伴って包囲プレート１５３に導通される。この包囲プレート１５３は、ガラス枠用ヒンジ１８０，ガラス枠・上皿用ヒンジ１８５を介して内枠用ヒンジ１７０，機構板用ヒンジに導通される。
【００４６】
以上のように構成されたパチンコ遊技機１０において、発射レール３０，内レール４９，外レール５１等の遊技球Ｂの通路を形成する部材と遊技球Ｂとの摩擦や遊技球Ｂ同士の衝突等により、ガラス枠２２ないし上皿２４の裏面と遊技盤４０との間で生じた静電気（以下、静電気ＳＣという）は、キーユニット２９や発射レール３０，内レール４９，外レール５１が、折曲部１５３ａ，１５３ｂ，１５３ｃを介して包囲プレート１５３に導通される。従って、静電気ＳＣは、キーユニット２９や発射レール３０，内レール４９，外レール５１から折曲部１５３ａ，１５３ｂ，１５３ｃを通り、キーユニット２９や外レール５１，内レール４９，発射レール３０よりも広い金属領域を有する包囲プレート１５３に逃がされる。
【００４７】
この包囲プレート１５３の折曲部１５３ａ，１５３ｂ，１５３ｃと連結部材１５４との接続により構成された第１ガラス３８ないし第２ガラス３９を保持する部材（以下、ガラス保持部材ＨＪという）は、板金１１５や板金１１０，キーユニット２９に接触する部分を金属製としつつ、その一部に絶縁部材１５９を介在させた状態で設けられている。従って、包囲プレート１５３に導かれた静電気ＳＣは、ガラス保持部材ＨＪにおいてループすることなく、スムーズにガラス枠用ヒンジ１８０やガラス枠・上皿用ヒンジ１８５ないしその先の内枠用ヒンジ１７０，機構板用ヒンジに導かれる。内枠用ヒンジ１７０や機構板用ヒンジに導かれた静電気ＳＣは、内枠用ヒンジ１７０や機構板用ヒンジに接続されたアース線によってパチンコ遊技機１０の外部に除去される。
【００４８】
なお、本実施例では、包囲プレート１５３，ロール部１５３ｋ，摺動軸１８１，ガラス枠用ヒンジ１８０，内枠用ヒンジ１７０および内枠用ヒンジ１７０に接続されたアース線や、包囲プレート１５３，軸受けプレート１８８，折曲部１８８ａ，ガラス枠・上皿用ヒンジ１８５，機構板用ヒンジおよび機構板用ヒンジに接続されたアース線が、特許請求の範囲にいう「導通部」に相当する。勿論、上記以外の他の形態で「導通部」を構成することも可能である。例えば、内枠用ヒンジ１７０や機構板用ヒンジにアース線を接続しない構成とすることもできる。
【００４９】
以上説明した本実施例のパチンコ遊技機１０では、ガラス保持部材ＨＪを、絶縁部材１５９を介在させて金属部分が連続しないように設けている。従って、ガラス枠２２の閉止状態において遊技盤４０表面からガラス枠２２裏面の包囲プレート１５３に逃がされた静電気がガラス保持部材ＨＪ内でループし、プレート領域内に滞留したり、ループ状に流れる電流によって磁界が発生してしまうといった現象を回避することが可能となる。この結果、プレート領域内の静電気を、ガラス枠用ヒンジ１８０，内枠用ヒンジ１７０，機構板用ヒンジを通じてパチンコ遊技機１０外部に確実に逃がし、静電気ノイズ等による制御回路への影響を防止することができる。
【００５０】
また、本実施例では、折曲部１５３ａと折曲部１５３ｃとの間に載架される連結部材１５４を、金属製の第一連結部材１５７と金属製の第二連結部材１５８との間に樹脂製の絶縁部材１５９を架設することにより形成している。従って、絶縁部材１５９を架設しない場合と比較してガラス保持部材ＨＪの強度を高めることができる。更に、本実施例では、ガラス保持部材ＨＪのうち、第１ガラス３８や第２ガラス３９の挿入を案内する部材として用いられる部材（連結部材１５４）に絶縁部材１５９が介装された切欠部を形成し、第１ガラス３８や第２ガラス３９の荷重がかかりやすい部分である折曲部１５３ａ，１５３ｂ，１５３ｃに切欠部を形成することなく、ガラス保持部材ＨＪにおける静電気のループを回避する。こうすることで、第１ガラス３８ないし第２ガラス３９の荷重が切欠部（絶縁部材１５９の介装部分）にかかりにくくなり、ガラス保持部材ＨＪによる第１ガラス３８ないし第２ガラス３９の保持性能を十分に確保することができる。
【００５１】
次に、上記実施例の変形例としての構成を図７に示す。この変形例は、ガラス枠２２裏面に装着されるガラス保持部材のコーナー部に絶縁部材２５９を設けることにより、ガラス保持部材における静電気のループを防止することを特徴とするものである。
【００５２】
図７（Ａ）は、ガラス枠２２の裏面における、包囲プレート２５３の折曲部２５３ｃと連結金具２５４との装着位置付近の様子を示す説明図であり、図７（Ｂ）は図７（Ａ）の上面図である。なお、図７では、上記実施例と機能が共通する各部につき、符号の下二桁を上記実施例と同じ数字を用いて表わしている。
【００５３】
図７に示すように、ガラス枠２２裏面には、上記実施例とほぼ同様の折曲部２５３ａ，２５３ｂ，２５３ｃを備えた金属製の包囲プレート２５３が装着されている。一方、包囲プレート２５３の折曲部２５３ｃと折曲部２５３ａとの間には、一個の金属製の連結金具２５４が樹脂（ポリカーボネート）製の絶縁部材２５９を介して装着されている。
【００５４】
絶縁部材２５９および連結金具２５４は、ガラス枠２２裏面に以下のように装着される。図７に示すように、絶縁部材２５９は、折曲部２５３ｃの上方の端部に螺着される。この絶縁部材２５９は、連結金具２５４が載架される載架部２５９ｂと、連結金具２５４の端部と折曲部２５３ｃとの間に介在する介在部２５９ａを備える。連結金具２５４は、この載架部２５９ｂと折曲部２５３ａの上方の端部との間に載架され、介在部２５９ａによって折曲部２５３ｃに接触しない状態で絶縁部材２５９に螺着される。
【００５５】
第１の変形例では、折曲部２５３ａ，２５３ｂ，２５３ｃおよび連結金具２５４（以下、ガラス保持部材ＨＪ１という）が特許請求の範囲にいう「保持部材」に相当し、このうちの連結金具２５４が特許請求の範囲にいう「ガイド部材」に相当し、絶縁部材２５９の介在部２５９ａが特許請求の範囲にいう「遮断部」に相当する。勿論、「保持部材」や「ガイド部材」，「遮断部」を、上記以外の他の形態とすることも可能である。
【００５６】
なお、連結金具２５４は、略鉛直下方に三角形状に延出された梁部（図示せず）を備えており、この梁部において絶縁部材２５９に螺着される。これにより、ガラス保持部材ＨＪ１の強度を高めることができる。
【００５７】
このような第１の変形例の構成によっても、ガラス保持部材ＨＪ１内における静電気のループが介在部２５９ａによって遮断される。従って、上記実施例と同様に、ガラス枠２２裏面のプレート領域内における静電気の滞留を防止して、プレート領域内の静電気を確実に機外に逃がすことができる。
【００５８】
以上本発明の実施例および変形例について説明したが、本発明は、こうした実施例および変形例に限定されるものではなく、発明の要旨を逸脱しない範囲内において、種々なる態様で実施可能である。
【００５９】
例えば、上記実施例では、ガラス保持部材ＨＪ，ＨＪ１の一部に絶縁部材を介在させることによりガラス保持部材内での静電気のループを遮断する構成を採用したが、ガラス保持部材の一部に絶縁部材を介在させることなく、ガラス保持部材内での静電気のループを遮断することも可能である。例えば、金属製のガラス保持部材を非連続形状とする構成を考えることができる。具体的には、上記実施例において、折曲部１５３ａ，１５３ｂ，１５３ｃと、この折曲部１５３ａと折曲部１５３ｃとの間に載架される１個の金属製の連結金具をガラス保持部材として設けると共に、折曲部１５３ａ，１５３ｂ，１５３ｃを含む包囲プレート１５３の一部を切り欠くことにより切欠部を形成して、上記の連結金具を載架する構成とすればよい。こうすれば、ガラス保持部材内における電流ループは切欠部に存在する空気層によって遮断されるので、静電気の機外へのスムーズな除去を簡単な構造で実現することができる。
【００６０】
上記実施例では、遊技領域とパチンコ遊技機１０の外部とを区画する部材としてガラスを用い、遊技球Ｂの衝突や外部からの衝撃に十分に耐え得る構造としたが、勿論、ガラス以外の透光性部材（例えば、アクリル板等）を用いて遊技領域とパチンコ遊技機１０の外部とを区画することも可能である。
【００６１】
また、上記実施例では、ガラス枠２２裏面に装着されるガラス保持部材として金属製の部材を用いたが、金属以外の導電性部材（例えば、導電性プラスチック）を用いる構成としても差し支えない。
【図面の簡単な説明】
【００６２】
【図１】本発明の実施例であるパチンコ遊技機１０の前面を示す説明図である。
【図２】ガラス枠２２の裏面を示す説明図である。
【図３】包囲プレート１５３の折曲部１５３ａ，１５３ｂ，１５３ｃの断面形状を示す説明図である。
【図４】連結部材１５４の形状を示す説明図である。
【図５】連結部材１５４が組み立てられる様子を示す説明図である。
【図６】ガラス枠２２ないし上皿２４を取り外した状態におけるパチンコ遊技機１０の前面を示す説明図である。
【図７】変形例としての構成を示す説明図である。
【符号の説明】
【００６３】
１０...パチンコ遊技機
１２...外枠
２０...内枠
２２...ガラス枠
２２ａ...開口部
２２ｂ...枠部
２３...表示ランプ
２４...上皿
２５...下皿
２６...発射操作ユニット
２６ａ...発射ハンドル
２９...キーユニット
３８...第１ガラス
３９...第２ガラス
４０...遊技盤
４７...風車
４８...ランプ風車
４９...内レール
５１...外レール
１１０...板金
１１０ｆ...折曲部
１１１...ビス
１１５...板金
１３２...台座
１３４...連絡部材
１５３...包囲プレート
１５３ａ，１５３ｂ，１５３ｃ...折曲部
１５３ｂｍ...切欠部
１５３ｂｔ...突出部
１５３ｇａ，１５３ｇｂ，１５３ｇｃ...嵌込溝
１５３ｈａ，１５３ｈｂ，１５３ｈｃ...挿入部
１５３ｋ...ロール部
１５３ｓａ，１５３ｓｃ...差込溝
１５４...連結部材
１５５，１５６...係止片
１５７...第一連結部材
１５７ａ，１５７ｂ...折曲部
１５７ｃ...上面
１５７ｙ...端部
１５８ａ，１５８ｂ...折曲部
１５８...第二連結部材
１５８ｃ...上面
１５８ｙ...端部
１５９...絶縁部材
１５９ａ...側面
１５９ｂ...側面
１７０，１７５...内枠用ヒンジ
１８０...ガラス枠用ヒンジ
１８１...摺動軸
１８５...ガラス枠・上皿用ヒンジ
１８８...軸受けプレート
１８８ａ...折曲部
２５３...包囲プレート
２５３ａ，２５３ｂ，２５３ｃ...折曲部
２５４...連結金具
２５９...絶縁部材
２５９ａ...介在部
２５９ｂ...載架部
【図１】
2004351220.tif 000003
【図２】
2004351220.tif 000004
【図３】
2004351220.tif 000005
【図４】
2004351220.tif 000006
【図５】
2004351220.tif 000007
【図６】
2004351220.tif 000008
【図７】
2004351220.tif 000009